(57)【要約】【課題】目地突部のある側面が露出した場合にも、側面と天面とで外観上の統一感を得ることができる舗装用ブロックを提供する。【解決手段】舗装用ブロック１１は、底面１２と、底面１２より小さい天面１３と、底面１２及び天面１３に対して傾斜した側面１４と、側面１４に突設された目地突部１５と、を備える。目地突部１５は、底面１２に対して垂直に延びて目地幅を設定する接触部１６と、接触部１６と側面１４とを接続する接続面１７と、を有する。【選択図】図５
2017166215.tif 000002
【特許請求の範囲】
【請求項１】
底面と、
前記底面より小さい天面と、
前記底面及び前記天面に対して傾斜した側面と、
前記側面に突設された目地突部と、
を備え、
前記目地突部は、前記底面に対して垂直に延びて目地幅を設定する接触部と、前記接触部と前記側面とを接続する接続面と、を有する
ことを特徴とする舗装用ブロック。
【請求項２】
前記天面は外縁に凹凸を有し、
前記目地突部の前記接触部は、前記底面に対して垂直に延びる平面であり、
前記側面及び前記接続面は、前記凹凸に沿って曲がる曲面である
ことを特徴とする請求項１に記載の舗装用ブロック。
【請求項３】
前記側面には、前記底面と交差する底辺と直交する中心線に対して線対称となる位置に対をなすように前記目地突部が設けられ、
前記底辺から前記底面に沿う方向への前記接触部の突出長さは、前記目地幅の半分である
ことを特徴とする請求項１または請求項２に記載の舗装用ブロック。
【請求項４】
底面、天面、側面及び同側面に突設される突出部を有する他のブロックを前記舗装用ブロックと並べて用いる場合に、
前記突出部は、前記他のブロックの前記底面の中心点に対して点対称となる位置に、突出長さが前記目地幅と等しくなるように突設され、
前記舗装用ブロックの前記側面同士が交差する角部から前記目地突部までの最短距離は、前記他のブロックの前記側面同士が交差する角部から前記突出部までの最短距離よりも長い
ことを特徴とする請求項３に記載の舗装用ブロック。
【請求項５】
前記舗装用ブロックの前記底辺の長さは、前記他のブロックの前記側面の最大長さよりも長く、
前記舗装用ブロックの一の前記側面に配置される前記目地突部の数は、前記他のブロックの一の前記側面に配置される前記突出部の数よりも多い
ことを特徴とする請求項４に記載の舗装用ブロック。
【発明の詳細な説明】
【技術分野】
【０００１】
本発明は、路面等の舗装に用いられる舗装用ブロックに関する。
【背景技術】
【０００２】
従来、路面等の舗装に用いられる舗装用ブロックとして、側面から突出する目地キープ（目地突部）を有して、その目地キープを隣接するブロックの側面に接触させることにより、隣り合うブロック間の目地幅を設定するものがある（例えば、特許文献１）。
【先行技術文献】
【特許文献】
【０００３】
【特許文献１】特開２０１５−１４５５７９号公報
【発明の概要】
【発明が解決しようとする課題】
【０００４】
ところで、舗装用ブロックは、敷設時に天面が露出するため、天面は色や模様などの意匠を施した化粧面とすることが多い。これに対して、側面は通常、敷設時に目地内に埋設されるので、露出を前提とせず、上述の目地キープを突出させるなど、機能を優先した形状になる。
【０００５】
しかし、こうした舗装用ブロックが階段の踏み板として用いられると、機能的な目地キープが突出した側面が階段の蹴上げ部分（段鼻）に露出してしまうことがある。このような場合には、機能的な形状の側面と意匠が施された天面との統一感がなく、外観上好ましくない、という問題がある。
【０００６】
本発明は、このような課題に着目してなされたものである。その目的とするところは、目地突部のある側面が露出した場合にも、側面と天面とで外観上の統一感を得ることができる舗装用ブロックを提供することにある。
【課題を解決するための手段】
【０００７】
以下、上記課題を解決するための手段及びその作用効果について記載する。
上記課題を解決する舗装用ブロックは、底面と、前記底面より小さい天面と、前記底面及び前記天面に対して傾斜した側面と、前記側面に突設された目地突部と、を備え、前記目地突部は、前記底面に対して垂直に延びて目地幅を設定する接触部と、前記接触部と前記側面とを接続する接続面と、を有することを要旨とする。
【０００８】
この構成によれば、側面には目地突部が突設されるので、複数の舗装用ブロックを隣り合わせて並べたときには、底面に対して垂直に延びる接触部が隣の舗装用ブロックに接触することで、２つの舗装用ブロックの間の目地幅が設定される。そして、目地突部は、接触部と側面とを接続する接続面を有するので、側面から突出する接触部を側面に対して外観的になじませることができる。したがって、敷設時に目地突部のある側面が露出した場合にも、側面と天面とで外観上の統一感を得ることができる。
【０００９】
上記構成の舗装用ブロックにおいて、前記天面は外縁に凹凸を有し、前記目地突部の前記接触部は、前記底面に対して垂直に延びる平面であり、前記側面及び前記接続面は、前記凹凸に沿って曲がる曲面であることが好ましい。
【００１０】
この構成によれば、曲面である接続面が平面である接触部と曲面である側面とを接続することにより、接触部を側面に対して自然になじませることができる。また、接続面は、天面の凹凸に沿った曲面であるので、底面に対して垂直な接触部を天面に対して自然になじませることができる。
【００１１】
上記構成の舗装用ブロックにおいて、前記側面には、前記底面と交差する底辺と直交する中心線に対して線対称となる位置に対をなすように前記目地突部が設けられ、前記底辺から前記底面に沿う方向への前記接触部の突出長さは、前記目地幅の半分であることが好ましい。
【００１２】
この構成によれば、側面において目地突部を線対称となるように配置することにより、中心線が一致するように並べた舗装用ブロック同士の目地突部を接触させて、目地幅を設定することができる。この場合には、接触部の突出長さは、設定すべき目地幅の半分で済むので、側面から突出する目地突部を目立たないようにすることができる。
【００１３】
上記構成の舗装用ブロックを、底面、天面、側面及び同側面に突設される突出部を有する他のブロックと並べて用いる場合に、前記突出部は、前記他のブロックの前記底面の中心点に対して点対称となる位置に、突出長さが前記目地幅と等しくなるように突設され、前記舗装用ブロックの前記側面同士が交差する角部から前記目地突部までの最短距離は、前記他のブロックの前記側面同士が交差する角部から前記突出部までの最短距離よりも長いことが好ましい。
【００１４】
この構成によれば、舗装用ブロックと他のブロックとを両者の角部が揃うように並べた場合に、舗装用ブロックの角部から目地突部までの距離が他のブロックの角部から突出部までの距離より長いので、舗装用ブロックの目地突部と他のブロックの突出部とは接触しない。そして、他のブロックの突出部の突出長さは目地幅と等しいので、他のブロックの突出部が舗装用ブロックの側面に接触して、舗装用ブロックと他のブロックとの間に目地幅を設定することができる。
【００１５】
上記構成の舗装用ブロックにおいて、前記底辺の長さは、前記他のブロックの前記側面の最大長さよりも長く、前記舗装用ブロックの一の前記側面に配置される前記目地突部の数は、前記他のブロックの一の前記側面に配置される前記突出部の数よりも多いことが好ましい。
【００１６】
この構成によれば、舗装用ブロックの底辺の長さは、他のブロックの側面より長いが、舗装用ブロックの一の側面に線対称に配置される目地突部の数は、他のブロックの一の側面に点対称に配置される突出部の数より多いので、複数の目地突部により、一定幅の目地を形成することができる。
【発明の効果】
【００１７】
本発明によれば、舗装用ブロックにおいて、目地突部のある側面が露出した場合にも、側面と天面とで外観上の統一感を得ることができる。
【図面の簡単な説明】
【００１８】
【図１】舗装用ブロックの一実施形態であるブロックの側面図。
【図２】図１のブロックの斜視図。
【図３】図１のブロックの平面図。
【図４】図３に二点鎖線で囲む部分を図１の４−４線で切った断面図。
【図５】図１のブロックを並べたときの側面図。
【図６】図１のブロックを他のブロックと並べたときの側面図。
【図７】図１のブロック及び他のブロックを並べたときの平面図。
【図８】図１のブロックの使用状態を示す斜視図。
【発明を実施するための形態】
【００１９】
以下、舗装用ブロック（インターロッキングブロック）の一実施形態を図１〜図８を参照して説明する。
図１に示すように、本実施形態の舗装用ブロックの一例であるブロック１１は、略多角形状（本実施形態では略四角形）をなす底面１２と、底面１２より面積の小さい天面１３と、底面１２及び天面１３に対して傾斜した側面１４と、側面１４に突設された目地突部１５と、を備える。目地突部１５は、底面１２に対して垂直に延びる接触部１６と、接触部１６と側面１４とを接続する接続面１７と、を有する。
【００２０】
図２に示すように、天面１３は、自然石の外観形状を模した意匠が施された化粧面であり、なだらかに湾曲する凹凸を外縁に有する。側面１４は、天面１３と交差する天辺１８側に、凹凸のある天面１３の外縁に自然に連続するなだらかな凹凸を有する化粧面であり、天面１３の意匠に対して統一感のある意匠が施されることが好ましい。天面１３と側面１４の意匠を構成する構成要素は、湾曲等の形状であってもよいし、各面を構成する材料（ブロック１１の表面に露出する骨材）であってもよいし、着色であってもよい。
【００２１】
側面１４の凹凸は、底面１２と交差する底辺１９側では小さくすることが好ましい。そして、底面１２の外縁は、底辺１９の凹凸に合わせて多少の凹凸があってもよいが、天面１３の外縁よりは直線状をなすことが好ましい。
【００２２】
本実施形態のブロック１１は、横方向Ｘにおける長さをＸｎ、縦方向Ｙにおける長さをＹｎ、高さ方向Ｚにおける長さをＺｎとしたときに、Ｘｎ＝Ｙｎ＞Ｚｎであって、平面視略正方形の薄板状をなす。この場合、ブロック１１は、ほぼ同形状の４つの側面１４と、隣接する２つの側面１４同士が交差する４つの角部２０とを有する。なお、「ほぼ同形状の」とは、４つの側面１４については、自然石を模した不規則な形状にする場合などに、その表面形状などが異なっていてもよい、ということを示す。
【００２３】
図３に示すように、ブロック１１の側面１４には、底辺１９と直交するように横方向Ｘと縦方向Ｙに延びる中心線ＣＬに対して線対称となる位置に対をなすように、偶数個の目地突部１５が設けられる。すなわち、平面視略正方形状のブロック１１の４つの側面１４には、それぞれ目地突部１５が４つずつ設けられる。このとき、ブロック１１の１つの側面１４に配置される４つの目地突部１５の接触部１６は、角部２０からの最短距離Ｄｎと、中心線ＣＬからの最短距離Ｄｎとが等しくなるように設定することが好ましい。
【００２４】
上述のように最短距離Ｄｎを設定すると、複数のブロック１１を、互いの角部２０が隣接するように並べる（いわゆる格子配置をする）場合、互いに対向する側面１４に設けられた４つの目地突部１５の接触部１６同士が接触する（図７の上側で縦方向Ｙに並ぶブロック１１を参照）。また、一のブロック１１の角部２０が他のブロック１１の中心線ＣＬと並ぶように、ブロック１１を横方向Ｘまたは縦方向Ｙに半分ずつずらしながら並べる（いわゆる千鳥配置をする）場合にも、互いに対向する側面１４に設けられた目地突部１５の接触部１６同士が接触する（図７の下側で縦方向Ｙに並ぶブロック１１を参照）。なお図３及び図７では、ブロック１１の接触部１６の位置を明示するために、接触部１６を太線で記載している。
【００２５】
図４に示すように、目地突部１５の接触部１６は、底面１２に対して垂直に延びる平面とすると、ブロック１１を並べるときに、隣り合うブロック１１の接触部１６同士が安定して接触するので、好ましい。また、目地突部１５の接続面１７は、接触部１６よりも天面１３及び側面１４に近い外観形状を有するように、側面１４と同様の意匠を施すことが好ましい。
【００２６】
例えば、接続面１７は、天面１３の外縁が有する凹凸に沿って曲がる曲面とすることができる。このようにすると、接続面１７及び側面１４は、天面１３の外縁の凹凸に沿って一体となって規則的または不規則的に湾曲するので、接触部１６が平面であっても、側面１４と目地突部１５とが、明確な角または段差のない、連続した面を構成する。なお、接触部１６が目立たないように、天面１３において接触部１６と対応する位置に外縁の凸部を配置するようにしてもよい。
【００２７】
特に、接触部１６を構成する面とこれに交差する接続面１７を構成する面との内側にできる角度θが１３５度より大きく、１８０度より小さくなるようにすると、接触部１６と接続面１７を自然になじませることができるので、好ましい。なお、角部２０は、角をなくして湾曲させてもよい。
【００２８】
図５に示すように、ブロック１１の目地突部１５は、隣接して並べられた２つのブロック１１がそれぞれ有する接触部１６同士が接触することで目地幅Ｊｗを設定する。すなわち、隣接するブロック１１の間に一定の隙間を形成するためにブロック１１に目地突部１５を設け、ブロック１１の敷設時には、目地突部１５が突出していない傾斜した側面１４の上に目地砂を入れることで、目地２２（図８参照）を形成する。ブロック１１において、底辺１９から底面１２に沿う方向への接触部１６の突出長さＬｎは、目地幅Ｊｗの半分である。ただし、突出長さＬｎは、設定する目地幅Ｊｗに対して、誤差を考慮して設定することが好ましい。
【００２９】
例えば、Ｘｎ＝Ｙｎ＝３４５ｍｍ、Ｚｎ＝６０ｍｍとしたときに、底辺１９から底面１２が延びる方向への目地突部１５の突出長さＬｎを０．７５ｍｍにすると、目地幅Ｊｗが２〜３ｍｍ程度（誤差がなければ、１．５ｍｍ）の目地が形成される。なお、図５及び図６においては、目地突部１５の構成を明示するために接続面１７を平面のように表現しているが、接続面１７は曲面であってもよいし、不規則な凹凸のある面であってもよい。
【００３０】
次に、図６に示すように、本実施形態のブロック１１（図６において左側）と他のブロック１００（図６において右側）とを並べて配置する場合について説明する。
他のブロック１００は、ブロック１１と同じく舗装用のブロックである。ブロック１００は、底面１１２と、天面１１３と、側面１１４と、を有する点はブロック１１と同様であるが、側面１１４が底面１１２に対して垂直な垂直面であり、側面１１４の露出を前提としていない点が、ブロック１１と異なる。また、ブロック１００は、目地幅Ｊｗを設定するために側面１１４に突設される目地突部としての突出部１１５を備え、突出部１１５の突出長さが目地幅Ｊｗと等しい点が、ブロック１１と異なる。例えば、設定すべき目地幅Ｊｗが１．５ｍｍの場合、突出部１１５の突出長さは１．５ｍｍである。なお、側面１１４において天面１１３と交差する天辺１１８に接する部分には、突出部１１５を設けず、敷設時にはこの部分に目地砂を入れる。
【００３１】
ブロック１１と他のブロック１００とを並べる場合には、ブロック１１の目地突部１５とブロック１００の突出部１１５とが接触しないようにブロック１１，１００を配置して、他のブロック１００の突出部１１５をブロック１１の側面１４に接触させて、目地幅Ｊｗを設定する。この場合、ブロック１００の突出部１１５は、目地突部１５の接触部１６だけでなく、接続面１７とも接触しないことが好ましい。
【００３２】
図７に、他のブロック１００として、サイズの異なる２種のブロック１００（１００Ｓ，１００Ｌ）を例示する。
ブロック１００Ｓは平面視正方形状をなして、横方向Ｘにおける長さと縦方向Ｙにおける長さとが等しい。ブロック１００Ｓは４つの側面１１４を有し、各側面１１４に１つずつ突出部１１５が設けられる。
【００３３】
ブロック１００Ｌは平面視長方形状をなして、横方向Ｘにおける長さがブロック１００Ｌと等しく、縦方向Ｙにおける長さがブロック１００Ｓの２倍である。ブロック１００Ｌの横方向Ｘにおける長さＸｏを１１５ｍｍとすると、ブロック１００Ｌの縦方向Ｙにおける長さは２×Ｘｏ＝２３０ｍｍとなる。この場合、ブロック１１の縦方向Ｙにおける長さＹｎ（例えば３４５ｍｍ）に対しては、３×Ｘｏ＝Ｙｎ＝Ｘｎ、Ｘｎ＞２×Ｘｏとなる。
【００３４】
ブロック１００Ｌは４つの側面１１４を有し、図７で横方向Ｘに延びる短辺である２つの側面１１４には１つずつ突出部１１５が設けられ、図７で縦方向Ｙに延びる長辺である２つの側面１１４には２つずつ突出部１１５が設けられる。すなわち、ブロック１１の底辺１９の長さは、他のブロック１００の側面１１４（底辺１１９）の最大長さよりも長く、ブロック１１の一の側面１４に配置される目地突部１５の数（４つ）は、他のブロック１００の一の側面１１４に配置される突出部１１５の数（１つまたは２つ）よりも多い。
【００３５】
図７に示すように、縦方向Ｙにブロック１００Ｓ，１００Ｌを並べ、それらの横方向Ｘ隣に１つのブロック１１を並べると、格子配置ができる。あるいは、縦方向Ｙに３つのブロック１００Ｌを並べると、それらの横方向Ｘ隣に２つのブロック１１を並べて格子配置をすることもできるし、縦方向Ｙに並ぶ３つのブロック１００Ｌと、それらの横方向Ｘ隣において縦方向Ｙに並ぶ２つのブロック１１とで千鳥配置にすることもできる。
【００３６】
他のブロック１００の側面１１４には、ブロック１００の底面１１２の中心点ＣＰに対して点対称となる位置に、突出部１１５が対をなすように突設される。この場合、側面１１４において底面１１２と交差する底辺１１９と直交する中心線に対して線対称となる位置を避けて突出部１１５を配置することが好ましい。すなわち、ブロック１００の側面１１４同士が交差する２つの角部１２０の間において、突出部１１５は、中心よりも、一方の角部１２０の近い位置に配置されることが好ましい。このように配置すると、ブロック１００を格子配置または千鳥配置したときに、互いの突出部１１５が接触しないようにすることができる。なお、図７では、突出部１１５の位置を明示するために、突出部１１５を指す黒塗りの三角矢印を表示しているが、天面１１３の意匠としてこの三角矢印を入れる必要はない。
【００３７】
ここで、ブロック１００の角部１２０から突出部１１５までの最短距離をＤｏとし、ブロック１１の角部２０から目地突部１５までの最短距離をＤｎとする。この場合、横方向Ｘ及び縦方向Ｙにおける長さが異なるブロック１００とブロック１１とを格子配置または千鳥配置するときに、目地突部１５が突出部１１５と接触しないようにするために、Ｄｎ＞Ｄｏとすることが好ましい。すなわち、ブロック１１の角部２０から目地突部１５までの最短距離Ｄｎは、他のブロック１００の角部１２０から突出部１１５までの最短距離Ｄｏよりも長いことが好ましい。
【００３８】
このようにブロック１１とブロック１００を並べる場合、ブロック１１の目地突部１５は、例えば縦方向Ｙに延びる側面１４において、突出部１１５のある領域（図７では突出部１１５を挟んで縦方向Ｙに並ぶ一対の二点鎖線の間の領域）を避けて配置しなければならない。このように、ブロック１１の目地突部１５は、配置可能な領域に制約があるので、縦方向Ｙまたは横方向Ｘにおける長さが短くなる。さらに、目地突部１５の接続面１７は、接触部１６を側面１４になじませるために、ある程度広い面積を確保することが好ましいため、接触部１６を配置可能な領域はさらに狭くなる。
【００３９】
そうした制約の下でも目地幅Ｊｗを確実に設定するために、接触部１６の高さ方向Ｚの長さは、縦方向Ｙまたは横方向Ｘにおける長さよりも長くすることが好ましい。例えば、Ｘｎ＝Ｙｎ＝３４５ｍｍ、Ｚｎ＝６０ｍｍの場合、目地突部１５の横方向Ｘまたは縦方向Ｙにおける長さは７ｍｍ程度、目地突部１５の高さ方向Ｚにおける長さは４０ｍｍ程度にすることができる。
【００４０】
次に、舗装用ブロック１１の作用を説明する。
図８に示すように、複数のブロック１１を並べて舗装面２１を構成するときには、ブロック１１とブロック１１の間に目地砂を入れて、目地２２を形成する。このとき、隣り合うブロック１１の目地突部１５のうち、接触部１６同士が接触して、適切な幅の目地２２が形成される。すなわち、ブロック１１の側面１４が天面１３の凹凸に沿って湾曲していても、側面１４には目地突部１５が突設されているので、接触部１６同士が接触することにより、側面１４の凹凸にかかわらず、一定の目地幅Ｊｗが設定される。
【００４１】
そして、舗装面２１においては、ブロック１１の天面１３は表に露出するが、側面１４は目地２２内に埋設されるので、その外観は視認されない。特に、目地突部１５は、側面１４において天面１３に接する部分に接触部１６がないので、接触部１６はその全体が目地２２内に埋設される。これにより、舗装面２１には、複数のブロック１１にわたって直線的に連続する美しい目地２２が形成される。
【００４２】
これに対して、ブロック１１が階段２３の踏み面またはテラス２４の上面を構成するときには、ブロック１１の天面１３に加えて側面１４も蹴上げ部分（段鼻）に露出することがある。その点、本実施形態のブロック１１は、側面１４が底面１２及び天面１３に対して傾斜しているので、側面１４と天面１３とで一体的に、自然石のような外観形状を呈する。また、側面１４に突出する目地突部１５には接続面１７が設けられるので、目地幅Ｊｗを設定するという機能を優先した形状の接触部１６を、意匠が施された側面１４及び天面１３に外観的になじませることができる。
【００４３】
また、ブロック１１の取り扱いにあたって、例えば横方向Ｘまたは縦方向Ｙに複数個ずつ格子配置にしたブロック群毎に一対の板などで側面１４を挟むと、隣接する目地突部１５の接触部１６同士が接触するので、そのブロック群単位でまとめて運搬することができる。すなわち、ブロック１１の側面１４が傾斜していても、接触部１６は底面１２に対して垂直なので、横方向Ｘまたは縦方向Ｙに並べたブロック群としてまとめて取り扱うことが可能である。
【００４４】
以上詳述した実施形態によれば、次のような効果が発揮される。
（１）側面１４には目地突部１５が突設されるので、複数のブロック１１を隣り合わせて並べたときには、底面１２に対して垂直に延びる接触部１６が隣のブロック１１に接触することで、２つのブロック１１の間の目地幅Ｊｗが設定される。そして、目地突部１５は、接触部１６と側面１４とを接続する接続面１７を有するので、側面１４から突出する接触部１６を側面１４に対して外観的になじませることができる。したがって、敷設時に目地突部１５のある側面１４が露出した場合にも、側面１４と天面１３とで外観上の統一感を得ることができる。
【００４５】
（２）曲面である接続面１７が平面である接触部１６と曲面である側面１４とを接続することにより、接触部１６を側面１４に対して自然になじませることができる。また、接続面１７は、天面１３の凹凸に沿った曲面であるので、底面１２に対して垂直な接触部１６を天面１３に対して自然になじませることができる。
【００４６】
（３）側面１４において目地突部１５を線対称となるように配置することにより、中心線ＣＬが一致するように並べたブロック１１同士の目地突部１５を接触させて、目地幅Ｊｗを設定することができる。この場合には、接触部１６の突出長さＬｎは、設定すべき目地幅Ｊｗの半分で済むので、側面１４から突出する目地突部１５を目立たないようにすることができる。
【００４７】
（４）ブロック１１と他のブロック１００とを両者の角部２０，１２０が揃うように並べた場合に、ブロック１１の角部２０から目地突部１５までの距離が他のブロック１００の角部１２０から突出部１１５までの距離より長いので、ブロック１１の目地突部１５と他のブロック１００の突出部１１５とは接触しない。そして、他のブロック１００の突出部１１５の突出長さは目地幅Ｊｗと等しいので、他のブロック１００の突出部１１５がブロック１１の側面１４に接触して、ブロック１１と他のブロック１００との間に目地幅Ｊｗを設定することができる。
【００４８】
（５）ブロック１１の底辺１９の長さは、他のブロック１００の側面１１４より長いが、ブロック１１の一の側面１４に線対称に配置される目地突部１５の数は、他のブロック１００の一の側面１４に点対称に配置される突出部１１５の数より多いので、複数の目地突部１５により、一定幅の目地２２を形成することができる。
【００４９】
（変更例）
上記実施形態は、次のように変更して具体化してもよい。また、上記実施形態と下記変更例とは、互いに組み合わせて具体化することも可能である。
【００５０】
・ブロック１１は、底面１２及び天面１３が四角以外の多角形状（例えば、三角形または五角形など）に形成されていてもよい。また、舗装面２１、階段２３の踏み面またはテラス２４の形状が矩形でない場合には、その形状に合わせてブロック１１の形状を変更してもよいし、舗装面２１等の端部などに用いるために、平面視において横方向Ｘまたは縦方向Ｙに直線状に延びる底辺１９と、曲線からなる底辺１９とを有するブロック１１を採用してもよい。あるいは、全ての底辺１９が曲線からなるブロック１１であってもよい。
【００５１】
・ブロック１１は、底面１２と天面１３との形状が異なっていてもよい。例えば、図７に示す他のブロック１００Ｌのように、天面１３が割石調の意匠となるように複数の面に分割されていてもよい。この場合には、天面１３の分割された面は多角形ではなく、外縁が不規則に湾曲した形状であってもよい。
【００５２】
・目地突部１５において、横方向Ｘまたは縦方向Ｙに並ぶ接続面１７が交差する角部を接触部１６としてもよい。
・目地突部１５において、接続面１７は平面であってもよい。あるいは、接続面１７が互いに交差する複数の平面から構成されてもよい。
【００５３】
・ブロック１１の側面１４に配置される目地突部１５の数は４つに限らず、例えば２つでもよいし、６つ以上でもよい。また、中心線ＣＬに対して線対称に偶数個の目地突部１５を配置した上で、中心線ＣＬと重なる位置に、１つの目地突部１５を追加してもよい。
【００５４】
さらに、上記実施形態及び各変更例から把握される技術的思想を以下に記載する。
（イ）第１底面と、第１天面と、第１側面と、目地幅を設定するために前記第１側面に突設された第１目地突部と、を有する他のブロックと並べて用いられる舗装用ブロックであって、
第２底面と、第２天面と、第２側面と、前記第２側面に前記目地幅を設定するために突設された第２目地突部と、を備え、
前記第２目地突部は、前記第２側面において、前記第２底面と交差する底辺と直交する中心線に対して線対称となる位置に対をなして設けられ、
前記第１目地突部は、前記第１底面の中心点に対して点対称となる位置に対をなして設けられ、
前記舗装用ブロックの前記第２側面同士が交差する第２角部から前記第２目地突部までの最短距離は、前記他のブロックの前記第１側面同士が交差する第１角部から前記第１目地突部までの最短距離よりも長い
ことを特徴とする舗装用ブロック。
【００５５】
上記（イ）において、第１底面、第１天面、第１側面、第１目地突部は、それぞれ上記実施形態における底面１１２、天面１１３、側面１１４、突出部１１５に対応し、第２底面、第２天面、第２側面、第２目地突部は、それぞれ上記実施形態における底面１２、天面１３、側面１４、目地突部１５に対応する。ただし、（イ）の場合、第２側面は第２底面と第２天面に対して垂直な垂直面であってもよいし、第２目地突部（目地突部１５）が接続面１７を有さず、突出部１１５と同様の形状であってもよい。
【００５６】
そして、上記（イ）によれば、目地突部の配置が異なる他のブロックと舗装用ブロックを並べて使用する場合に、両者の角部から目地突部までの距離を異ならせることにより、第１目地突部と第２目地突部が互いに接触しないようにすることができる。これにより、既存のブロック（他のブロック）と、サイズの異なる舗装用ブロックとを並べて使用する場合に、それらの目地突部同士が不要に接触してしまう、という課題を解決することができる。
【符号の説明】
【００５７】
１１…舗装用ブロックの一例であるブロック、１００，１００Ｌ，１００Ｓ…他のブロック、１２，１１２…底面、１３，１１３…天面、１４，１１４…側面、１５…目地突部、１６…接触部、１７…接続面、１９，１１９…底辺、２０，１２０…角部、１１５…突出部、ＣＬ…中心線、ＣＰ…中心点、Ｊｗ…目地幅、Ｌｎ…突出長さ。
【図１】
2017166215.tif 000003
【図２】
2017166215.tif 000004
【図３】
2017166215.tif 000005
【図４】
2017166215.tif 000006
【図５】
2017166215.tif 000007
【図６】
2017166215.tif 000008
【図７】
2017166215.tif 000009
【図８】
2017166215.tif 000010
【手続補正書】
【提出日】平成29年5月31日(2017.5.31)
【手続補正１】
【補正対象書類名】特許請求の範囲
【補正対象項目名】請求項１
【補正方法】変更
【補正の内容】
【請求項１】
舗装に用いる舗装用ブロックであって、
底面と、
前記底面より小さい天面と、
前記底面及び前記天面に対して傾斜した側面と、
前記側面に突設された目地突部と、
を備え、
前記目地突部は、前記底面に対して垂直に延びて目地幅を設定する接触部と、前記接触部と前記側面とを接続する接続面と、を有し、隣接する前記舗装用ブロックと前記接触部を当接させて前記側面間の目地幅を設定する
ことを特徴とする舗装用ブロック。
【手続補正２】
【補正対象書類名】明細書
【補正対象項目名】０００７
【補正方法】変更
【補正の内容】
【０００７】
以下、上記課題を解決するための手段及びその作用効果について記載する。
上記課題を解決する舗装用ブロックは、舗装に用いる舗装用ブロックであって、底面と、前記底面より小さい天面と、前記底面及び前記天面に対して傾斜した側面と、前記側面に突設された目地突部と、を備え、前記目地突部は、前記底面に対して垂直に延びて目地幅を設定する接触部と、前記接触部と前記側面とを接続する接続面と、を有し、隣接する前記舗装用ブロックと前記接触部を当接させて前記側面間の目地幅を設定することを要旨とする。